【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
位置情報を取得する手段を有する画像供給装置と通信可能に接続される情報処理装置であって、
前記画像供給装置から撮影位置情報付きの画像ファイルと、前記画像供給装置の移動軌跡を示すログファイルとを取得するファイル取得手段と、
前記画像供給装置の記録媒体に記録されたファイルが既に前記情報処理装置に転送済みであるか否かを判定する判定手段と、を有し、
前記ファイル取得手段は、前記判定手段により転送済みでないと判定されたファイルを前記画像供給装置から取得し、
前記判定手段は、判定するファイルが画像ファイルの場合と、前記ログファイルの場合とで異なる判定手順に従って、前記ファイルが既に転送済みであるか否かを判定することを特徴とする情報処理装置。
【請求項２】
前記判定手段は、前記画像ファイルの属性情報に基づき、転送済みであるか否かを判定することを特徴とする請求項１に記載の情報処理装置。
【請求項３】
前記判定手段は、前記画像供給装置の記録媒体に記録されているログファイル内の位置情報に対応する日時情報に基づき、転送済みであるか否かを判定することを特徴とする請求項１または２に記載の情報処理装置。
【請求項４】
前記判定手段は、前記画像供給装置の記録媒体に記録されているログファイル内の位置情報に対応する日時情報のうち最新の日時情報に基づき、転送済みであるか否かを判定することを特徴とする請求項１または２に記載の情報処理装置。
【請求項５】
前記判定手段は、前記画像供給装置の記録媒体に記録されているログファイル内の位置情報に対応する最新の日時情報が、前記画像供給装置と通信する前に前記情報処理装置が保持しているログファイル内の最新の日時情報よりも新しい場合、該ログファイルが未転送であると判定することを特徴とする請求項４に記載の情報処理装置。
【請求項６】
前記画像供給装置の記録媒体に記録されているログファイルと同じ日に生成されたログファイルを前記画像供給装置と通信する前に前記情報処理装置が保持している場合、前記ファイル取得手段は、前記画像供給装置の記録媒体に記録されているログファイルと同じ日に生成されたログファイルに前記画像供給装置の記録媒体に記録されているログファイルを上書きすることを特徴とする請求項１乃至５のいずれか１項に記載の情報処理装置。
【請求項７】
前記画像ファイルと前記ログファイルの取得に先立って前記画像供給装置の記録媒体に記録されている画像ファイルのリストとログファイルのリストを取得するリスト取得手段を更に有し、
前記判定手段は、前記リストに記載された画像ファイルの属性情報に基づき、前記リストにより特定される画像ファイルが転送済みであるか否かを判定し、前記リストに記載されたログファイルの属性情報に基づき、前記リストにより特定されるログファイルが転送済みであるか否かを判定することを特徴とする請求項１に記載の情報処理装置。
【請求項８】
前記判定手段は、前記リストに記載されたログファイルの属性情報に基づく転送済み判定の結果が、転送済みでないことを示す判定結果であったログファイルについて、更に該ログファイル内の日時情報に基づく転送済み判定を行うことを特徴とする請求項７に記載の情報処理装置。
【請求項９】
前記画像供給装置の記録媒体に記録されている画像ファイルとログファイルのうち、前記情報処理装置に転送済みのファイルの削除要求を、前記画像供給装置に送信する手段を更に有することを特徴とする請求項１乃至８のいずれか１項に記載の情報処理装置。
【請求項１０】
位置情報を取得する手段を有する画像供給装置と通信可能に接続される情報処理装置の制御方法であって、
前記画像供給装置から撮影位置情報付きの画像ファイルと、前記画像供給装置の移動軌跡を示すログファイルとを取得するファイル取得工程と、
前記画像供給装置の記録媒体に記録されたファイルが既に前記情報処理装置に転送済みであるか否かを判定する判定工程と、を有し、
前記ファイル取得工程では、前記判定工程にて転送済みでないと判定されたファイルを前記画像供給装置から取得し、
前記判定工程では、判定するファイルが画像ファイルの場合と、前記ログファイルの場合とで異なる判定手順に従って、前記ファイルが既に転送済みか否かを判定することを特徴とする制御方法。
【請求項１１】
コンピュータを、請求項１乃至９のいずれか１項に記載の情報処理装置の各手段として機能させるためのプログラム。
【請求項１２】
コンピュータを、請求項１乃至９のいずれか１項に記載の情報処理装置の各手段として機能させるためのプログラムを記憶したコンピュータによる読み取りが可能な記憶媒体。
【手続補正２】
【補正対象書類名】明細書
【補正対象項目名】０００７
【補正方法】変更
【補正の内容】
【０００７】
上記目的を達成するために、本発明は、位置情報を取得する手段を有する画像供給装置と通信可能に接続される情報処理装置であって、前記画像供給装置から撮影位置情報付きの画像ファイルと、前記画像供給装置の移動軌跡を示すログファイルとを取得するファイル取得手段と、前記画像供給装置の記録媒体に記録されたファイルが既に前記情報処理装置に転送済みであるか否かを判定する判定手段と、を有し、前記ファイル取得手段は、前記判定手段により転送済みでないと判定されたファイルを前記画像供給装置から取得し、前記判定手段は、判定するファイルが画像ファイルの場合と、前記ログファイルの場合とで異なる判定手順に従って、前記ファイルが既に転送済みであるか否かを判定する。
【手続補正３】
【補正対象書類名】明細書
【補正対象項目名】００２７
【補正方法】変更
【補正の内容】
【００２７】
外部記録装置（Ｒｅｍｏｖａｂｌｅ  Ｄｒｉｖｅ）２０４は、外部記録媒体に対して読み出しおよび書き込みを行う。プログラムや画像データが外部記録媒体に記録されている場合、これらは外部記録装置２０４を介してＲＡＭ２０２にロードされる。外部記録媒体には、例えば、ＤＶＤ−ＲＷ、ＣＤ−ＲＯＭ、ＣＤ−Ｒ、ＤＶＤ−ＲＡＭなどの光ディスクや、フレキシブルディスク、ＭＯなどの磁気ディスク、またフラッシュメモリなどの不揮発性メモリが含まれる。
【手続補正４】
【補正対象書類名】明細書
【補正対象項目名】００３０
【補正方法】変更
【補正の内容】
【００３０】
サウンドデバイス２０８は、例えば、画像データに添付されている音声データを処理し、スピーカなどに転送する。キーボード２０９は文字などを入力するための各種キーを有する。ポインティングデバイス２１０として、例えば、マウスが挙げられる。ポインティングデバイス２１０は、表示装置２０７の表示画面上に表示されたマウスポインタを制御し、プログラムのメニューやその他のオブジェクトを操作するために使用される。
【手続補正５】
【補正対象書類名】明細書
【補正対象項目名】００８２
【補正方法】変更
【補正の内容】
【００８２】
そして、ステップＳ１２０４では、ＣＰＵ２０１は転送対象のＧＰＳログファイルすべてに対して次の処理を行う。すなわち、ステップＳ１２０５として、通信Ｉ／Ｆ２１２を介して、ＧＰＳログファイルの情報リストに含まれるＧＰＳログファイルにアクセスするためのハンドル情報を用いて、デジタルカメラ１００からＧＰＳログファイルを取得する。続いてステップＳ１２０６として、取得したＧＰＳログファイルをＨＤＤ２０３の一時フォルダに保存する。ＧＰＳログファイルの数だけこの処理を繰り返し、ステップＳ１２０７へ移行する。
【手続補正６】
【補正対象書類名】明細書
【補正対象項目名】００８８
【補正方法】変更
【補正の内容】
【００８８】
ステップＳ１２１３では、ＨＤＤ２０３の一時フォルダから専用フォルダへコピーし、ステップＳ１２１４へ移行する。ステップＳ１２１４では、コピー時にファイル名の重複するものが存在するか判断し、重複するものがなければそのまま次のＧＰＳログファイルへ進む。重複するものがあれば、ステップＳ１２１５にて、ファイル名が重複しないように“１００９０４０．ｌｏｇ”に枝番を付加して“１００９０４０＿１．ｌｏｇ”などにリネームして保存を行い、次のＧＰＳログファイルへ進む。
【手続補正７】
【補正対象書類名】明細書
【補正対象項目名】００８９
【補正方法】変更
【補正の内容】
【００８９】
一方、ステップＳ１２１２にて転送済みと判断された場合でも、前述した通りＧＰＳログファイルは測位情報が追記されている可能性がある。つまり、一度転送したＧＰＳログファイルであっても、その後更新されることで内容が変化する可能性がある。この場合、更新後のＧＰＳログファイルを再度ＰＣ２００に転送する必要がある。そこで、ステップＳ１２１６では、ＧＰＳログファイルの更新を判定する。ステップＳ１２１６では、ステップＳ１２１２に続けて、ＨＤＤ２０３の一時フォルダに保存したＧＰＳログファイルから取得した測位終了日時と、取得済みＧＰＳログファイルリストの＜ＥｎｄＴｉｍｅ＞要素１１０３を比較する。
【手続補正８】
【補正対象書類名】明細書
【補正対象項目名】００９２
【補正方法】変更
【補正の内容】
【００９２】
続いてステップＳ１２１９にて、ステップＳ１２１８にてすべてのＧＰＳログファイルに対しての処理を終了した後、その処理内容を、ステップＳ１２０７で取得済みＧＰＳログファイルリストに反映すべく更新する。これにより、次回のＧＰＳログファイルの取り込み時に最新の状態で利用することができる。
【手続補正９】
【補正対象書類名】明細書
【補正対象項目名】００９９
【補正方法】変更
【補正の内容】
【００９９】
＜デジタルカメラでのファイル転送処理＞
図１４を参照して、デジタルカメラ１００からＰＣ２００に画像ファイルとＧＰＳログファイルを取り込む際のデジタルカメラ１００での処理について説明する。図１４は、デジタルカメラからＰＣに画像ファイルとＧＰＳログファイルを取り込む際の、デジタルカメラでの処理手順を示すフローチャートである。
【手続補正１０】
【補正対象書類名】明細書
【補正対象項目名】０１０３
【補正方法】変更
【補正の内容】
【０１０３】
一方、ステップＳ１４０９では、ＣＰＵ１０３は、デジタルカメラ１００の記憶媒体１０６に記憶されたＧＰＳログファイルすべてのハンドルを取得し、ステップＳ１４１０にてすべてのＧＰＳログファイルの情報を取得してリストを作成する。ステップＳ１４１１では、ＣＰＵ１０３は、通信部１０９を介して、作成したＧＰＳログファイルのリストをＰＣ２００へ送信し、ステップＳ１４１２へ移行する。
【手続補正１１】
【補正対象書類名】明細書
【補正対象項目名】０１０４
【補正方法】変更
【補正の内容】
【０１０４】
ステップＳ１４１２では、ＣＰＵ１０３は、ＰＣ２００からファイル取得要求があった場合はステップＳ１４１３に移行し、なかった場合はステップＳ１４１６へ移行する。ステップＳ１４１３では、ＣＰＵ１０３はファイル取得要求の指定ファイル種別を判断する。画像ファイルの取得要求の場合はステップＳ１４１４へ移行し、ＧＰＳログファイルの取得要求の場合はステップＳ１４１５に移行する。ステップＳ１４１４にて、ＣＰＵ１０３は、通信部１０９を介して、ＰＣ２００に画像ファイルを転送し、ステップＳ１４１６に移行する。一方、ステップＳ１４１５にて、ＣＰＵ１０３は、通信部１０９を介して、ＰＣ２００にＧＰＳログファイルを転送し、ステップＳ１４１６に移行する。
【手続補正１２】
【補正対象書類名】図面
【補正対象項目名】図９
【補正方法】変更
【補正の内容】
【図９】
2012165143.tif 000001
【手続補正１３】
【補正対象書類名】図面
【補正対象項目名】図１０
【補正方法】変更
【補正の内容】
【図１０】
2012165143.tif 000002
【手続補正１４】
【補正対象書類名】図面
【補正対象項目名】図１４
【補正方法】変更
【補正の内容】
【図１４】
2012165143.tif 000003